(57)【特許請求の範囲】
【請求項１】
かざし板を有し、そのかざし板に送信機をかざして同送信機からの情報を受信する受信機において、
前記かざし板の前面側には、前記かざし板を凹設して凹状の受信面を形成し、
前記かざし板の背面側には、前記凹状の受信面を照明する発光手段を備えたことを特徴とする受信機。
【請求項２】
請求項１に記載の受信機において、
前記送信機からの情報を受信するための電子部品を収容する収容室を有したケース本体を備え、そのケース本体の一側壁を前記かざし板とし、その一側壁を凹設して凹状の受信面を形成したことを特徴とする受信機。
【請求項３】
請求項１又は２に記載の受信機において、
前記かざし板の背面側であって前記受信面と対向する位置に導光板を設け、前記導光板にて前記発光手段からの光を前記かざし板に形成した凹状の受信面に導光するようにしたことを特徴とする受信機。
【請求項４】
請求項１乃至３のいずれか１項に記載の受信機において、
前記かざし板に形成した凹状の受信面には、前記受信面の中心部を指示する指標が形成されていることを特徴とする受信機。
【請求項５】
請求項４に記載の受信機において、
前記指標は、前記導光板からの光を前記受信面側に出射させるための前記受信面に貫通形成した貫通孔であることを特徴とする受信機。
【請求項６】
請求項５に記載の受信機において、
前記貫通孔は、透過性の樹脂が埋設されていることを特徴とする受信機。
【発明の詳細な説明】
【技術分野】
【０００１】
本発明は、受信機に関する。
【背景技術】
【０００２】
従来、マンション等の集合住宅の住人共用のエントランス等に防犯ドアが設置されている。エントランスからマンションに入る際には、住民はエントランスの近辺に設置してある鍵とインターホンを備えた集合玄関機を鍵で解錠し、来訪者はインターホンを介して住民に集合玄関機を解錠してもらっていた。しかし、住民がエントランスからマンションに入る際に両手に荷物等を持っているとき等は一度荷物を地面に置いて鍵を解錠するため不便であったり、集合玄関機のピッキング等を防止する必要があったりするため、非接触式のロック装置が望まれていた。
【０００３】
そこで、扉用二重ロック装置が提案されている（例えば、特許文献１）。扉用二重ロック装置は、ドアにメインの通常のキーロック装置に加えて電気的に駆動される補助ロック装置を取り付け、ドアの室外側表面に通常のキーロック装置の鍵孔と補助ロック装置の読み取り部とを有するロックアセンブリを取り付ける。メインのキーロック装置は鍵孔にキーアセンブリのキー部を差し込んで操作し、補助ロック装置は読み取り部にキーアセンブリのキータグをかざすことにより室外から操作する。
【特許文献１】特開２００３−２０１７８５号公報
【発明の開示】
【発明が解決しようとする課題】
【０００４】
しかしながら、特許文献１に記載の扉用二重ロック装置では、キータグと読み取り部との間の距離を十分なものとするために、読み取り部がドアの前面に出っ張っていることが多かった。そのため、住民がキータグを読み取り部にかざす際に距離感をつかみにくく、読み取り部にキータグが接触してしまい、読み取り部が損傷することがあった。一方、読み取り部が損傷しないようにキータグを過剰に遠ざけると、読み取り部が電波を受信できず、ドアを解錠することができなかった。
【０００５】
本発明は、上記問題を解決するためになされたものであり、その目的は、確実に解錠しながらも損傷を低減することができる受信機を提供することにある。
【課題を解決するための手段】
【０００６】
上記問題点を解決するために、請求項１に記載の発明は、かざし板を有し、そのかざし板に送信機をかざして同送信機からの情報を受信する受信機において、前記かざし板の前面側には、前記かざし板を凹設して凹状の受信面を形成し、前記かざし板の背面側には、前記凹状の受信面を照明する発光手段を備えた。この発明によれば、かざし板に凹状の受信面を形成したので、送信機をかざし板にかざす際に、送信機が受信機の受信面に当接するのを低減でき、受信面の損傷を未然に防止することができる。また、送信機が凹状の受信面に入る程度まで近づけるように、凹状の受信面が使用者を誘導するため、送信機と受信機とが通信するのに適当な距離を確保しやすい。従って、確実に情報を受信しながらも受信機の受信面の損傷を低減することができる。また、かざし板に形成した凹状の受信面を照明する発光手段を備えたので、例えば、受信機の周辺が暗いときであっても、使用者が受信面を容易に視認することができる。また、例えば、受信機が情報を受信したとき発光手段を照明させることによって、情報が受信されたか否かを使用者が確実に認識することができるので、使用者が何度も送信機を受信機にかざす手間を低減することができる。従って、確実に情報を受信することができる。
【０００７】
請求項２に記載の発明は、請求項１に記載の受信機において、前記送信機からの情報を受信するための電子部品を収容する収容室を有したケース本体を備え、そのケース本体の一側壁を前記かざし板とし、その一側壁を凹設して凹状の受信面を形成した。この発明によれば、送信機からの情報を受信するための電子部品を収容するケース本体の一側壁をかざし板とし、その一側壁を凹設して凹状の受信面を形成した。この結果、送信機を受信面
にかざして、受信機が送信機からの情報を受信するときに、送信機が受信機の受信面に当接するのを低減でき、受信面の損傷を未然に防止することができる。また、送信機が凹状の受信面に入る程度まで近づけるように、凹状の受信面が使用者を誘導するため、送信機と受信機とが通信するのに適当な距離を確保しやすい。従って、確実に情報を受信しながらも受信機の受信面の損傷を低減することができる。
【０００９】
請求項３に記載の発明は、請求項１又は２に記載の受信機において、前記かざし板の背面側であって前記受信面と対向する位置に導光板を設け、前記導光板にて前記発光手段からの光を前記かざし板に形成した凹状の受信面に導光するようにした。この発明によれば、かざし板の背面側であって前記受信面と対向する位置に設けられた導光板にて発光手段からの光をかざし板に形成した凹状の受信面に導光する。この結果、例えば、発光手段が点発光素子であっても、受信面全体に発光手段からの光を導くことができる。従って、使用者が容易に受信機を視認できる。
【００１０】
請求項４に記載の発明は、請求項１乃至３のいずれか１項に記載の受信機において、前記かざし板に形成した凹状の受信面には、前記受信面の中心部を指示する指標が形成されている。この発明によれば、凹状の受信面に中心部を指示する指標が形成されているので、情報を送信するために受信面に送信機を近づける操作を、使用者が視覚を通じて容易に把握することができる。
【００１１】
請求項５に記載の発明は、請求項４に記載の受信機において、前記指標は、前記導光板からの光を前記受信面側に出射させるための前記受信面に貫通形成した貫通孔である。この発明によれば、指標は貫通孔であるため、擦れて指標がかすれたり、消えたりすることを低減することができる。
【００１２】
請求項６に記載の発明は、請求項５に記載の受信機において、前記貫通孔は、透過性の樹脂が埋設されている。この発明によれば、貫通孔には樹脂が埋設されているため、貫通孔にゴミが溜まって汚れることがない。
【発明の効果】
【００１７】
本発明によれば、確実に解錠しながらも受信機の損傷を低減することができる。
【発明を実施するための最良の形態】
【００１８】
以下、発明を具体化した一実施形態を図１〜図１２に従って説明する。
図１は非接触認証システムを説明するための斜視図である。図１に示すように、非接触認証システム１は、受信機としてのリーダ３と送信機としての鍵５とを備えている。本実施形態では、リーダ３は、マンション等の集合住宅のエントランス脇に備えられた集合玄関機６に取り付けられている。集合玄関機６は、エントランスを不特定多数の人に開けられないようにマンションの住民が鍵で解錠したり、訪問客が各住居にいる住民にエントランスの解錠を依頼したりするためのものであって、インターホン７や、鍵５を持っていない来客が部屋番号等を入力するためのテンキー９と共に取り付けられている。一方、鍵５はマンションの各住居のドアを不特定多数の人に開けられないように取り付けられた錠を開閉するためのものであって、各住民が異なる鍵５を所有している。そして、この鍵５の基端部５ａをリーダ３から２センチメートル程度の位置に近づけることによって、鍵５とリーダ３とが無線でデータを送受信する。本実施形態では、例えば、鍵５から各住民に付与された固有の識別情報等の情報が送信され、リーダ３がその識別情報を認証すると、マンションのエントランスが解錠されるようになっている。
【００１９】
次に、リーダ３について図２〜図６、図１２に従って説明する。図２はリーダ３の正面図、図３はリーダ３の断面図、図４はリーダ３の平面図、図５はリーダ３の背面図である。図３及び図４に示すように、リーダ３は、ケース本体としての本体１１と該本体１１の前面を覆うカバー１３を備えている。本体１１は、プラスチックで形成され、本実施形態では不透明な黒色の樹脂で形成されている。本体１１は、その背面１１ａ側に収容室としての第１収容部１５が凹設されている。そして、本体１１に形成した第１収容部１５の前側を閉塞する一側壁を前側壁１５ａとし、その前側壁１５ａは上下左右方向に延出形成されている。前側壁１５ａの第１収容部１５側の面には、横方向の長さが長い長方形の第２収容部１７が凹設されている。
【００２０】
第１収容部１５には、基板１９が収容されている。基板１９は、図５に示すように四角形であって、例えば、エポキシ樹脂で形成されている。そして、その基板１９上に発光手段としてのＬＥＤ２１、ＬＥＤ２１用の電源端子２３等が形成されている。図３及び図４に示すように、第１収容部１５であって、基板１９の前面には、受信部２５が実装されている。
【００２１】
第２収容部１７には導光板２７が収容されている。導光板２７は、アクリル等の透明樹脂で形成されており、端面より入力された光を均一に面発光させる。本実施形態では、ＬＥＤ２１が発光すると、その光を導光板２７を介して均一に前側壁１５ａに伝搬するようになっている。
【００２２】
一方、図２及び図３に示すように、前側壁１５ａの前面１１ｂには、前面１１ｂより若干突出形成された円板形状のかざし板としてのかざし部２８が形成されている。かざし部２８は、椀状の凹部２９が凹設され、その内周面を受信面３０としている。椀状の凹部２９は、前面からみた外形が受信部２５の各辺の長さと等しい直径であって、その中心部の最も深い場所が前記導光板２７に接しない程度の深さで形成されている。凹部２９には、その凹部２９の中心部を囲むように、その中心部を指示する指標としての円形の貫通孔３１が６つ貫通形成されており、リーダ３を前面（本体１１の前面１１ｂ側）から見たときに、使用者がその貫通孔３１から前記導光板２７を視認できるようになっている。
【００２３】
前記各貫通孔３１は、光透過性の樹脂３１ａ、例えば透明のアクリル樹脂が埋設されている。従って、導光板２７を伝搬してきたＬＥＤ２１の光は各貫通孔３１の各樹脂３１ａを介して伝搬し、受信面３０側に出射する。その結果、使用者が、黒色のかざし部２８に形成された各貫通孔３１（樹脂３１ａ）を介して前記導光板２７からの光を視認でき、同かざし部２８の位置を容易に確認できるようにしている。
【００２４】
また、かざし部２８の上下両側部の前側壁１５ａには、一対の螺合穴３３が前面１１ｂから凹設され、その螺合穴３３には雄ネジ貫挿穴３４がそれぞれ貫通形成されている。図１２に示すように、集合玄関機６の前面板６ａに形成した嵌合穴３５に、前側壁１５ａが前面板６ａの表面に係合するように本体１１を嵌合させる。そして、前面板６ａの背面から雄ネジＢを、螺合穴３３（図３参照）に配設したナットＮに螺合させることによって、本体１１は集合玄関機６の前面板６ａに固定される。
【００２５】
集合玄関機６の前面板６ａに固定された本体１１の前面１１ｂには、カバー１３が本体１１を覆うように接着されている。カバー１３は、亜鉛ダイキャストで形成されている。また、図２に示すように、カバー１３の前面中央には、前記円形のかざし部２８が露出するように貫通窓３６が形成されている。
【００２６】
次に、本体１１の第１収容部１５に収容した受信部２５の電気的構成を図６に従って説明する。
図６において、受信部２５は、電子部品としてのアンテナコイル３７、リーダ回路３８、ＣＰＵ３９、メモリ４０を備えている。リーダ回路３８は、アンテナコイル３７に交流電圧をかけることにより電磁界を発生させて、鍵５に電力を供給すると共に、アンテナコイル３７にて鍵５から送信される固有の識別情報等を受信する。リーダ回路３８は、アンテナコイル３７が受信した識別情報等を復調する。ＣＰＵ３９は、復調した識別情報がメモリ４０に予め記憶された居住者等の識別情報と一致するか否かを判断する。ＣＰＵ３９は、識別情報が予め登録した居住者等の識別情報と一致したと判断したとき、白く発光しているＬＥＤ２１を点滅発光させる。また、このとき、ＣＰＵ３９は、マンションのエントランスを解錠させるための制御信号を生成し、図示しないエントランス開閉装置に出力するようになっている。一方、識別情報が一致しないと判断したとき、ＣＰＵ３９はＬＥＤ２１を点滅発光させないようになっている。
【００２７】
次に、鍵５について図７〜図１０に従って説明する。図７は鍵５の正面図、図８は鍵５の背面図、図９は鍵５の側面図、図１０は鍵５の平面図である。図７に示すように、鍵５は、金属からなる鍵本体４１と鍵本体４１に取着される把持部４３とを備えている。この鍵本体４１は、鍵穴に差し込まれる差込部４５を備えており、この差込部４５には溝及び
切欠き等が形成されている。また、鍵５は、この差込部４５に形成された溝及び切欠きを除いて、左右対称に形成されている。さらに、図９に示すように、鍵本体４１は、差込部４５の一端に連続して形成された板状の取着部４７を備えている。取着部４７は、差込部４５の反対側に向かうにつれて拡がるような略台形状に形成されている。
【００２８】
把持部４３は、図９に示すように、樹脂からなる板状の表用チップ４３ａ及び裏用チップ４３ｂによって構成され、表用チップ４３ａが鍵本体４１の取着部４７の表面４７ａ側に、裏用チップ４３ｂが前記取着部４７の裏面４７ｂ側になるように鍵本体４１に対して固定される。
【００２９】
図７に示すように、表用チップ４３ａは、その外形が略台形状になるように形成され、基端部４３ｃに向かうにつれて拡がっている。そして、表用チップ４３ａは、基端部４３ｃ側が鍵本体４１の基端部側（鍵５の基端部５ａ側）に、先端部４３ｄ側が差込部４５側になるように鍵本体４１に取着される。
【００３０】
表用チップ４３ａの表面右側には、送信部４９が内蔵されている。また、表用チップ４３ａの表面中央には、位置決め手段、第１位置決め手段としての表側凹部５１が鍵５の長手方向に沿って形成されている。この表側凹部５１は、使用者が鍵５を各住居のドアに形成された鍵穴に差し込む際の、表用チップ４３ａに当接する親指の方向に合わせて形成されている。また、表側凹部５１の表面には、鍵５の基端側（基端部５ａ側）に向かうような矢印形の指標５３が３つ切欠き形成されている。これにより、使用者が送信部４９から識別情報を送信する際に、差込部４５を握って鍵５の基端部５ａ側をリーダ３に向けることが視覚を通じて理解しやすくなっている。つまり、表側凹部５１は、使用者が送信部４９から識別情報を送信する際に差込部４５を握ったときの表用チップ４３ａに当接する親指の方向にも合うように形成されている。
【００３１】
一方、図８に示すように、裏用チップ４３ｂは、表用チップ４３ａと同様に略台形状に形成され、基端部４３ｅに向かうにつれて拡がっている。この裏用チップ４３ｂは、その基端部４３ｅを鍵本体４１の基端部側（鍵５の基端部５ａ側）にして鍵本体４１に対して取着される。さらに、裏用チップ４３ｂの表面には、蒲鉾形状の位置決め手段、第２位置決め手段としての凸部５５が形成されている。この凸部５５は、前記表側凹部５１より先端側（鍵５の差込部４５側）に形成されているため、把持部４３を把持した際に、人差し指の腹が凸部５５の先端部４３ｆ側に沿って密着し、ぴったりと合うような感触を使用者に与える。さらに、送信部４９から固有の識別情報を送信する際に、使用者が差込部４５側を握ったときにも人差し指の腹が凸部５５の基端部４３ｅ側に沿って密着し、ぴったりと合うような感触を使用者に与える。
【００３２】
詳述すると、解錠又は施錠のために把持部４３を把持する際には、親指と人指し指とを略直交するように交差させて、親指の腹と人指し指の側面とで把持部４３の基端部４３ｅ，４３ｃ側を挟んで支持するのが通常である。また、リーダ３に鍵５を近づけるために差込部４５を把持する際には、図１２に示すように、親指と人指し指とを略直交するように交差させて、親指の腹と人指し指の側面とで把持部４３の先端部４３ｆ，４３ｄ側を挟んで支持するのが通常である。いずれの場合も、親指の腹が、表用チップ４３ａの表面に当接し、人指し指の側面が裏用チップ４３ｂの表面に当接する。従って、表用チップ４３ａに表側凹部５１を設けることにより、把持部４３を把持した際に親指の腹が表側凹部５１に沿って密着し、ぴったりと合うような感触を使用者に与える。さらに、裏用チップ４３ｂに突設された凸部５５に人差し指の側面が密着し、ぴったりと合うような感触を使用者に与える。
【００３３】
次に、鍵５の表用チップ４３ａに内蔵された送信部４９の電気的構成を図１１に従って
説明する。
図１１において、送信部４９は、アンテナコイル６１ａ，６１ｂ、クロック６３、ＣＰＵ６５、メモリ６７、変調回路６９、電源回路７０を備えている。本実施形態の送信部４９には電池が内蔵されておらず、リーダ３内の受信部２５のアンテナコイル３７に交流電圧をかけることにより発生する電磁界を、送信部４９のアンテナコイル６１ａが受けて電力が誘導されることにより、その電力が電源回路７０に供給され充電される。また、この電力供給時にキャリア周波数も受信し、このキャリア周波数を用いて作成した通信周波数等からなるクロック６３によって送信部４９内の回路は動作する。そして、ＣＰＵ６５は、メモリ６７に記憶された固有の識別情報を変調回路６９で変調し、アンテナコイル６１ｂを介して表用チップ４３ａの基端側（鍵５の基端部５ａ側）から受信部２５に送信する。
【００３４】
次に、上記のように構成されたリーダ３を鍵５を用いて解錠する場合の作用について説明する。
まず、図１２に示すように、使用者は、鍵５の差込部４５側を握り、リーダ３のかざし部２８から２センチメートル程度の距離まで近づける。このとき、リーダ３のカバー１３の前面に当接する程度の距離まで鍵５を近づけても、リーダ３（本体１１）のかざし部２８には凹部２９が形成されているため、鍵５が凹部２９に当接して本体１１の前面１１ｂを損傷するのを低減することができる。また、図２に示すように、凹部２９には該凹部２９の中心部を囲むように、その中心部を指示する円形の貫通孔３１を貫通形成したことから、導光板２７を伝搬してくるＬＥＤ２１の光は貫通孔３１を介して出射されるため、この凹部２９の中心部に向かって鍵５を近づけることを使用者が視覚を通じて容易に把握することができる。
【００３５】
また、送信部４９が送信した識別情報を受信部２５が認証したとき、リーダ３に備えられたＬＥＤ２１が白く点滅発光する。そのため、使用者は、識別情報が認識されたか否かを視認することができるので、使用者が識別情報が認証されたか否かを把握できずに何度も鍵５をかざし部２８に近づけたりする必要がない。
【００３６】
一方、識別情報が認識されてエントランスが解錠されると、使用者はエントランスを通過し、その使用者の住居まで行く。そして、使用者は、鍵５を持ち替えて鍵５の把持部４３側を把持し、各住居のドアに形成された鍵穴に鍵５の差込部４５を差込み、住居のドアを解錠する。
【００３７】
上記実施形態によれば以下のような効果を得ることができる。
（１）本実施形態では、リーダ３の本体１１の前面１１ｂに、使用者が鍵５をかざすためのかざし部２８を形成し、そのかざし部２８に椀状の凹部２９を設け、その内周面を受信面３０とした。そして、その本体１１の前面１１ｂを覆うカバー１３の前面中央にかざし部２８が露出するように貫通窓３６を形成した。この結果、識別情報の認証の際に、リーダ３のカバー１３のかざし部２８に当接する程度の距離まで使用者が鍵５を近づけても、かざし部２８には凹部２９が形成されているため、鍵５のリーダ３への当接によるリーダ３の損傷を低減することができる。
【００３８】
（２）本実施形態では、リーダ３の本体１１の前面１１ｂに形成されたかざし部２８に凹部２９を設けた。この結果、識別情報の認証の際に、使用者が鍵５をかざし部２８に近づけるとき、鍵５が凹部２９に入る程度まで近づけるように、凹部２９が使用者を誘導するため、送信部４９（鍵５）と受信部２５（リーダ３）とが通信するのに適当な距離を確保しやすい。従って、確実にエントランスを解錠することができる。
【００３９】
（３）本実施形態では、リーダ３の本体１１の前面１１ｂに形成されたかざし部２８に
凹部２９を設けた。この結果、識別情報の認証の際に、使用者が鍵５をリーダ３に近づけるとき、送信部４９（鍵５）と受信部２５（リーダ３）とが通信するのに適当な距離を確保しながらも、鍵５のリーダ３への当接によるリーダ３の損傷を低減することができる。従って、エントランス（リーダ３）の解錠の際に使用者の安心感を高めることができる。
【００４０】
（４）本実施形態では、凹部２９にその凹部２９の中心部を囲むように、その中心部を指示する円形の貫通孔３１を６つ貫通形成したので、エントランスを解錠するために凹部２９（かざし部２８）に鍵５を近づける操作を、使用者が視覚を通じて容易に把握することができる。
【００４１】
（５）本実施形態では、貫通孔３１は凹部２９に貫通形成したので、印刷等により形成された指標のように擦れて、かすれたり、消えたりするといったことはない。
（６）本実施形態ではしかも、貫通孔３１には透明の樹脂３１ａを埋設したので、ゴミ等が溜まって汚れて美観を損なうこともなく、掃除も容易に行うことができる。
【００４２】
（７）本実施形態では、鍵５に送信部４９を設けたので、例えば、送信部４９を備えていない鍵５と別に送信部４９を備えた非接触ＩＣカードを用いて、リーダ３を解錠するときと比較して、複数の鍵等を使用者が管理する手間を低減することができる。
【００４３】
（８）本実施形態では、鍵５の把持部４３の表用チップ４３ａに表側凹部５１を設けたので、リーダ３に鍵５を近づけるため、使用者が差込部４５を把持したとき、触感により、確実にその表側凹部５１に親指の位置を特定することができる。
【００４４】
（９）本実施形態では、鍵５の把持部４３の表用チップ４３ａに設けた表側凹部５１は、使用者がリーダ３に鍵５を近づけるため差込部４５を把持したとき、各住居のドアを解錠するため把持部４３を把持したときのいずれの場合であっても、触感により、確実にその表側凹部５１に親指の位置を特定することができる。従って、エントランス（リーダ３）の解錠、住居のドアの解錠のいずれの場合であっても、使用者が鍵５の持ちかたを間違えることを低減し、確実に解錠することができる。
【００４５】
（１０）本実施形態では、鍵５の把持部４３の裏用チップ４３ｂに凸部５５を設けたので、使用者がリーダ３に鍵５を近づけるため差込部４５を把持したとき、触感により、確実にその凸部５５に人差し指の位置を特定することができる。
【００４６】
（１１）本実施形態では、鍵５の把持部４３の裏用チップ４３ｂに設けた凸部５５は、リーダ３に鍵５を近づけるため差込部４５を把持したとき、各住居のドアを解錠するため把持部４３を把持したときのいずれの場合であっても、触感により、確実にその凸部５５に人差し指の位置を特定することができる。従って、エントランス（リーダ３）の解錠、住居のドアの解錠のいずれの場合であっても、使用者が鍵５の持ちかたを間違えることを低減し、確実に解錠することができる。
【００４７】
（１２）本実施形態によれば、鍵５に備えられた送信部４９から送信された識別情報が、リーダ３に備えられた受信部２５にて受信されて認証されると、リーダ３のＬＥＤ２１が点滅した。この結果、認証されたか否かを使用者が確実に認識することができるので、使用者が何度も鍵５をリーダ３に近づける操作を繰り返す手間を低減することができる。
【００４８】
（１３）本実施形態によれば、鍵５に備えられた送信部４９から送信された識別情報が、リーダ３に備えられた受信部２５にて受信されて認証されると、リーダ３のＬＥＤ２１が点滅した。この結果、認証されたか否かを使用者が確実に認識することができるので、エントランス（リーダ３）の解錠の際に使用者の安心感を高めることができる。
【００４９】
（１４）本実施形態によれば、リーダ３のかざし部２８（受信面３０）は黒色で、ＬＥＤ２１の光を白にした。この結果、白と黒の対照的な外観となり、使用者が、ＬＥＤ２１の点滅を容易に視認することができる。従って、認証されたか否かを使用者が確実に認識することができる。
【００５０】
なお、上記各実施形態は以下のように変更してもよい。
○上記実施形態では、鍵５に送信部４９を設けたが、鍵５に送信部４９を設けずに、鍵５とは別に、送信機としての非接触ＩＣカード等に送信部４９を設けてもよい。この場合であっても、リーダ３のかざし部２８に形成された凹部２９によって、非接触ＩＣカード等をかざし部２８に過剰に近づけてしまってリーダ３に非接触ＩＣカード等が当接することによるリーダ３の損傷を低減することができる。また、この非接触ＩＣカードの表面に親指の位置を特定可能な凹部を、裏面に人差し指の位置を特定可能な凸部を形成することによって、使用者が非接触ＩＣカード等の持ちかたを間違えることを低減し、確実に解錠することができる。
【００５１】
○上記実施形態では、本体１１の前面１１ｂ側にカバー１３が取り付けられたが、カバー１３を取り付けなくてもよい。この場合であっても、上記実施形態と同様の効果を得ることができる。
【００５２】
○上記実施形態では、リーダ３に形成した凹部２９は円形であったが、これに限らず、例えば、楕円形、三角錐形、円錐形、四角錐形、菱形、四角形、星形等、リーダ３の本体１１の前面１１ｂより凹んでいればどのような形でもよい。
【００５３】
○上記実施形態では、凹部２９の中心部を囲むように、その中心部を指示する指標としての円形の貫通孔３１を６つ貫通形成した。これに限らず、図１３に示すように、凹部２９の中心部を囲むように貫通形成された円形の貫通孔３１は４つでもよく、要は、使用者が鍵５を凹部２９の中心に近づける操作を視覚を通じて容易に把握することができれば、その数は限定されない。
【００５４】
○上記実施形態では、凹部２９の中心部を囲むように、その中心部を指示する指標としての円形の貫通孔３１を６つ貫通形成したが、これに限らず、図１４に示すように、凹部２９の中心部に向かうような左右対称の矢印形の貫通孔３１を３つずつ貫通形成してもよい。また、円形、矢印形以外であっても、星形、三つ葉形、放射形、雫形等、使用者が鍵５を凹部２９の中心に近づける操作を視覚を通じて容易に把握できやすい形であればよく、使用者が鍵５を凹部２９の中心に近づける操作を視覚を通じて容易に把握することができればよい。さらに、貫通孔３１の個数も同様に、使用者が鍵５を凹部２９の中心に近づける操作を視覚を通じて容易に把握できる個数であればよい。
【００５５】
○上記実施形態では、凹部２９に指標としての貫通孔３１を貫通形成したが、これに限らず、凹部２９に指標を描いてもよい。これにより、エントランスを解錠するためにリーダ３のかざし部２８に鍵５を近づける操作を、使用者が視覚を通じて容易に把握できながらも、指標の形状や位置を容易に変更することができる。また、凹部２９に指標のステッカー等を貼付してもよいし、凹部２９に指標を刻印してもよいし、凹部２９を透明にし、その透明の凹部２９に指標を埋め込んでもよく、使用者が鍵５をリーダ３のかざし部２８に近づける操作を視覚を通じて容易に把握できればよい。
【００５６】
○上記実施形態では、鍵５の表側凹部５１に形成した指標５３は、鍵５の基端部５ａに向かうような矢印形であったが、これに限らず、使用者が鍵５の基端部５ａをリーダ３に近づけることを視覚を通じて容易に把握することができる形状であればよい。
【００５７】
○上記実施形態では、夜間等のリーダ３の周囲が暗いときのみＬＥＤ２１を常に発光させてもよい。この場合、ＬＥＤ２１と導光板２７に替えて、リーダ３は蓄光板を備えてもよい。また、識別情報を認識しているか否かに関わらず常にＬＥＤ２１を発光させ、識別情報を認識したときには他の色でＬＥＤ２１を発光させたり、点滅させたりしてもよい。これにより、識別情報を認識したか否かを使用者が視覚を通じて容易に把握しながらも、夜間や日陰等でリーダ３周辺が暗いときであっても、使用者が容易に、確実にエントランス（リーダ３）を解錠することができる。
【００５８】
○上記実施形態では、リーダ３はＬＥＤ２１と導光板２７を備え、受信部２５が送信部４９の送信した識別情報を受信し、ＣＰＵ３９が認識したときＬＥＤ２１から発光する光は一色であった。これを、６つの貫通孔３１のうち、各貫通孔３１から異なる色の光を出射させてもよいし、各貫通孔３１を順番に同じ色又は異なる色の光を出射させてもよいし、各貫通孔３１からランダムに同じ色又は異なる色で出射させてもよいし、所定の位置に形成された貫通孔３１から順番に出射させてもよい。すなわち、一層、使用者が凹部２９の中央部に鍵５を近づけることを視覚を通じて把握しやすくなれば、どのような発光方法でもよい。
【００５９】
また、同様の発光方法を、識別情報を認識したときに適用してもよい。これにより、一層、エントランス（リーダ３）が解錠されたことを使用者が視覚を通じて把握することができるため、使用者が複数回、解錠操作をすることを低減することができるとともに、エントランス（リーダ３）の解錠の際の安心感を高めることができる。
【００６０】
○上記実施形態では、リーダ３の受信面３０は黒色であって、リーダ３のＬＥＤ２１は白く発光した。これに限らず、受信面３０とＬＥＤ２１の発光する色は、それぞれ対照的であって、使用者が、ＬＥＤ２１の点灯を容易に把握することができる色であればよい。
【００６１】
○上記実施形態では、リーダ３はＬＥＤ２１と導光板２７を備え、受信部２５が送信部４９の送信した識別情報を受信し、ＣＰＵ３９が認識したときＬＥＤ２１が点滅発光し、その光が導光板２７によって拡散された。これを、ＬＥＤ２１及び導光板２７を備えずに、発光手段として有機エレクトロルミネッセンス素子等の面発光素子を用いてもよい。この場合であっても、上記実施形態と同様の効果を得ることができる。
【００６２】
○上記実施形態では、リーダ３はＬＥＤ２１と導光板２７を備え、受信部２５が送信部４９の送信した識別情報を受信し、ＣＰＵ３９が認識したときＬＥＤ２１が点滅発光し、その光が導光板２７によって拡散されたが、導光板２７を備えなくてもよい。
【００６３】
○上記実施形態では、リーダ３はＬＥＤ２１と導光板２７を備え、受信部２５が送信部４９の送信した識別情報を受信し、ＣＰＵ３９が認識したときＬＥＤ２１が点滅発光し、その光が導光板２７によって拡散された。これを、リーダ３がＬＥＤ２１、導光板２７を備えなくてもよい。この場合であっても、識別情報の認証の際に、リーダ３のカバー１３の前面に当接する程度の距離まで使用者が鍵５を近づけても、リーダ３（本体１１）には凹部２９が形成されているため、鍵５のリーダ３への当接によるリーダ３の損傷を低減することができる。
【００６４】
○上記実施形態では、リーダ３はＬＥＤ２１と導光板２７を備え、受信部２５が送信部４９の送信した識別情報を受信し、ＣＰＵ３９が認識したときＬＥＤ２１が点滅発光したが、ＬＥＤ２１に限らず、発光手段として有機エレクトロルミネッセンス等の発光素子を用いてもよい。
【００６５】
○上記実施形態では、リーダ３の凹部２９に鍵５をかざすとき、鍵５の基端部５ａ側をかざす、すなわちリーダ３と鍵５とが直交するようにかざしたが、これに限らず、鍵５の表用チップ４３ａ側をかざす、すなわちリーダ３と鍵５とが平行になるようにかざしてもよい。
【００６６】
○上記実施形態では、裏用チップ４３ｂに人差し指の側面を密着させることのできる蒲鉾形状の凸部５５を形成したが、これに限らず、四角柱状、四角錐状等人差し指の側面を密着させることのできる形であれば他の形状でもよい。
【００６７】
○上記実施形態では、裏用チップ４３ｂに人差し指の側面を密着させることのできる蒲鉾形状の凸部５５を形成したが、これに限らず、人差し指の腹を密着可能な凹部を形成してもよく、人差し指の位置が特定できる形状であればよい。
【００６８】
○上記実施形態では、表側凹部５１に指標５３を切欠き形成したが、これに限らず、表側凹部５１に指標５３を描いてもよいし、表側凹部５１に指標５３のステッカー等を貼付してもよいし、表側凹部５１を透明部材にして指標５３を埋め込んでもよく、使用者が鍵５の基端部５ａ側を凹部２９の中心に近づける操作を視覚を通じて容易に把握できればよい。
【図面の簡単な説明】
【００６９】
【図１】本実施形態の非接触認証システムの概略を説明するための斜視図。
【図２】同じく、リーダの正面図。
【図３】同じく、リーダの断面図。
【図４】同じく、リーダの平面図。
【図５】同じく、リーダの背面図。
【図６】同じく、受信部の電気的構成を説明するブロック図。
【図７】同じく、鍵の正面図。
【図８】同じく、鍵の背面図。
【図９】同じく、鍵の側面図。
【図１０】同じく、鍵の平面図。
【図１１】同じく、送信部の電気的構成を説明するブロック図。
【図１２】同じく、非接触認証システムの使用方法を説明する説明図。
【図１３】別例のリーダの正面図。
【図１４】同じく、リーダの正面図。
【符号の説明】
【００７０】
１…非接触認証システム、３…リーダ、５…鍵、５ａ…基端部、６…集合玄関機、１１…本体、１１ａ…背面、１３…カバー、１９…基板、２１…ＬＥＤ、２５…受信部、２７…導光板、２８…かざし部、２９…凹部、３０…受信面、３１…貫通孔、３１ａ…樹脂、３３…螺合穴、３６…貫通窓、４１…鍵本体、４３…把持部、４５…差込部、４９…送信部、５１…表側凹部、５３…指標、５５…凸部。
【図１】
0004639127.tif 000002
【図２】
0004639127.tif 000003
【図３】
0004639127.tif 000004
【図４】
0004639127.tif 000005
【図５】
0004639127.tif 000006
【図６】
0004639127.tif 000007
【図７】
0004639127.tif 000008
【図８】
0004639127.tif 000009
【図９】
0004639127.tif 000010
【図１０】
0004639127.tif 000011
【図１１】
0004639127.tif 000012
【図１２】
0004639127.tif 000013
【図１３】
0004639127.tif 000014
【図１４】
0004639127.tif 000015